(57)【要約】【課題】所定の機器による学習の成果を利用して、他の複数の機器における文字入力を可能としながらも、高いセキュリティを確保することができる学習成果利用システムを提供することである。【解決手段】操作者が入力する入力手段と、前記入力手段によって入力されたデータに基づく学習を行う学習変換手段と、前記学習手段による学習の成果を記憶する学習成果記憶手段と、を有する第１の機器と、前記第１の機器とは別の複数の機器のうちの一つである第２の機器と、を有し、前記学習変換手段が、前記入力手段によって入力されたデータを前記学習成果記憶手段に記憶された学習成果に基づいて変換を行い、前記第１の機器が、前記学習変換手段による変換結果を前記第２の機器に送信する変換結果送信手段を有し、前記第２の機器が、前記第１の機器の前記変換結果送信手段によって送信された変換結果を受信する変換結果受信手段を有する、ことを特徴とする。【選択図】図１
2010181992.tif 000002
【特許請求の範囲】
【請求項１】
操作者が入力する入力手段と、前記入力手段によって入力されたデータに基づく学習を行う学習変換手段と、前記学習手段による学習の成果を記憶する学習成果記憶手段と、を有する第１の機器と、
前記第１の機器とは別の複数の機器のうちの一つである第２の機器と、を有し、
前記学習変換手段が、前記入力手段によって入力されたデータを前記学習成果記憶手段に記憶された学習成果に基づいて変換を行い、
前記第１の機器が、前記学習変換手段による変換結果を前記第２の機器に送信する変換結果送信手段を有し、
前記第２の機器が、前記第１の機器の前記変換結果送信手段によって送信された変換結果を受信する変換結果受信手段を有する、
ことを特徴とする学習成果利用システム。
【請求項２】
前記学習変換手段が、仮名漢字変換を行うものであることを特徴とする請求項１に記載の学習成果利用システム。
【請求項３】
前記変換結果送信手段と前記変換結果送信手段とが通信ケーブルを介して前記変換結果の送受信を行うことを特徴とする請求項１または２に記載の学習成果利用システム。
【請求項４】
前記変換結果送信手段と前記変換結果送信手段とが無線通信によって前記変換結果の送受信を行うことを特徴とする請求項１または２に記載の学習成果利用システム。
【請求項５】
前記第１の機器が携帯電話機であることを特徴とする請求項１ないし４のうちのいずれか１項に記載の学習成果利用システム。
【請求項６】
前記第１の機器に接続する外部入力装置をさらに設けたことを特徴とする請求項１ないし５のうちのいずれか１項に記載の学習成果利用システム。
【発明の詳細な説明】
【技術分野】
【０００１】
本発明は学習成果利用システムに関し、詳しくは、仮名漢字変換の変換結果などを学習する学習機能において、その学習成果を、他の機器の文字入力時にも利用するシステムに関する。
【背景技術】
【０００２】
昨今の各種機器は機能の高度化が進み、日本語を利用する機会も増えている。しかし、それら機器のユーザインタフェースは様々な要因から旧来のままであることが多く、効率的な日本語入力に向かないという状況が見られる。
【０００３】
また、複数の機器それぞれが仮名漢字変換機能を有しても、それらの機器が連携することが無いため、効率的な変換を実現するための学習データが共有されないという不自由さがある。そのため、各種機器に対して統一された日本語入力手段があることが望ましい。
【０００４】
特許文献１には、家庭用ゲーム機を、通信ネットワークを介してホストシステムと接続して、その家庭用ゲーム機によって入力された文字をホストシステムにおいて漢字変換してそれを家庭用ゲーム機で表示する、言語サービスシステムについて開示している。
【０００５】
また、特許文献２には、携帯通信端末機における文字入力の困難さを解消するため、携帯通信端末機にシリアル通信コネクタで接続する外部入力器を設け、外部入力器ではタッチパネルを有してペン入力等により文字入力が容易なように構成した、移動通信端末装置について開示している。
【先行技術文献】
【特許文献】
【０００６】
【特許文献１】特開平９−２６９５６号公報
【特許文献２】特開２００１−５３８８９号公報
【発明の概要】
【発明が解決しようとする課題】
【０００７】
従来、日本語入力機能を有する複数の機器を使用する際、各々の機器によって仮名漢字変換の方式や操作方法が異なり、使用者はそれぞれの操作に習熟する必要があった。
【０００８】
また、昨今の仮名漢字変換機能は学習機能を有し変換効率を上げるようになっているが、その学習の成果である学習状況は個々の機器に属するため、一つの機器での学習状況が他の機器では利用できず、それぞれの機器で学習を進めないと変換効率が上がらないという問題があった。
【０００９】
特許文献１に記載の発明によれば、家庭用ゲーム機では漢字変換を行わず、ホストシステムで漢字変換を行うため、ホストシステムに接続された異なる家庭用ゲーム機で、同等の漢字変換機能を提供することができる。しかしながら、特許文献１に記載の発明では、操作者が家庭用ゲーム機で入力したデータを一旦ホストシステムに送信するようにしているので、この入力内容が漏えいするなどの虞があり、セキュリティ上の問題があった。また、ネットワーク通信路上のいずれかの構成要素に問題が生じてホストシステムと接続できないような場合には、その漢字変換機能を利用できないという問題があった。
【００１０】
また、特許文献２に記載の発明では、ペン入力等により文字入力を容易にする文字入力手段である外部入力器を開示するだけであり、外部入力器に仮名漢字変換機能があるわけではなく、この外部入力器が接続される移動通信端末装置においては、個別に仮名漢字変換機能の学習をしなければならないという問題があった。
【００１１】
本発明は上記の点にかんがみてなされたもので、所定の機器による学習の成果を利用して、他の複数の機器における文字入力を可能としながらも、高いセキュリティを確保することができる学習成果利用システムを提供することを目的とする。
【課題を解決するための手段】
【００１２】
上記課題を解決するにあたり、本発明は、所定の機器たとえば携帯端末装置の仮名漢字変換機能を利用し、仮名漢字変換や学習はその携帯端末装置で行い、その学習成果である変換結果後データを、それを利用する別の個々の機器に送信する。
【００１３】
その個々の機器では学習成果である変換後データを受け取る機能を有する。これにより、仮名漢字変換に際しての学習は、その所定の機器である単一の携帯端末装置についてのみ習熟すればよく、また学習状況すなわち学習成果もその携帯端末装置に蓄積される。本発明によれば、仮名漢字変換に際しては外部と通信する必要は無いため、セキュリティ上の懸念は少なく、外部と通信ができない状況でも問題無く動作する。
【００１４】
すなわち、本発明は、操作者が入力する入力手段と、前記入力手段によって入力されたデータに基づく学習を行う学習変換手段と、前記学習手段による学習の成果を記憶する学習成果記憶手段と、を有する第１の機器と、前記第１の機器とは別の複数の機器のうちの一つである第２の機器と、を有し、前記学習変換手段が、前記入力手段によって入力されたデータを前記学習成果記憶手段に記憶された学習成果に基づいて変換を行い、前記第１の機器が、前記学習変換手段による変換結果を前記第２の機器に送信する変換結果送信手段を有し、前記第２の機器が、前記第１の機器の前記変換結果送信手段によって送信された変換結果を受信する変換結果受信手段を有する、ことを特徴とする。
【００１５】
また本発明は、前記学習変換手段が、仮名漢字変換を行うものであることを特徴とする。
【００１６】
また本発明は、前記変換結果送信手段と前記変換結果送信手段とが通信ケーブルを介して前記変換結果の送受信を行うことを特徴とする。
【００１７】
また本発明は、前記変換結果送信手段と前記変換結果送信手段とが無線通信によって前記変換結果の送受信を行うことを特徴とする。
【００１８】
また本発明は、前記第１の機器が携帯電話機であることを特徴とする。
【００１９】
また本発明は、前記第１の機器に接続する外部入力装置をさらに設けたことを特徴とする。
【発明の効果】
【００２０】
本発明によれば、以下のような効果を奏する。
【００２１】
第１の効果は、複数の機器を利用する際でも同様の操作で仮名漢字変換可能となることである。その理由は、仮名漢字変換の際の操作対象は単一の所定の機器であるためである。
【００２２】
第２の効果は、複数の機器を利用する際でも仮名漢字変換の学習成果すなわち学習データを共有できることである。その理由は、学習成果すなわち学習データは単一の所定の機器に集約されているためである。
【００２３】
第３の効果は、仮名漢字変換時のセキュリティ上のリスクが少ないことである。その理由は、仮名漢字変換に際して外部と通信する必要が無いためである。
【図面の簡単な説明】
【００２４】
【図１】本発明の学習成果利用システムの一実施形態の構成を示すブロック図である。
【図２】図１に示した学習成果利用システムの動作を示すフローチャートである。
【発明を実施するための形態】
【００２５】
以下、本発明の実施の形態について図面を参照して詳細に説明する。
【００２６】
本発明は、学習成果の可搬化により、複数の機器に対して共通した仮名漢字変換機能を提供するとともに入力時の高いセキュリティを提供する。
（第１実施形態）
図１は、本発明の学習成果利用システムの一実施形態の構成を示すブロック図である。
【００２７】
図１を参照すると、本実施形態の学習成果利用システムは、文字入力の際の操作対象であり所定の機器である携帯端末装置１と、文字を入力する対象の各種機器群４と、携帯端末装置１と個々の機器４１、４２等とを接続する通信ケーブル５とからなる。
【００２８】
携帯端末装置１は、それに付随する入力装置１１および表示装置１２を有し、また、携帯端末装置１内には、仮名漢字変換を行う仮名漢字変換手段２および、学習成果すなわち学習データを記憶する学習データ蓄積手段３を有する。仮名漢字変換手段２は、学習データ蓄積手段３に蓄積されている学習成果を読みだして仮名漢字変換に利用するとともに、仮名漢字変換の結果を新たな学習成果として学習データ蓄積手段３に蓄積する学習変換手段である。
【００２９】
携帯端末装置１としては、携帯電話機やＰＤＡ等の装置を用いることができる。個々の機器４１、４２としては、文字入力を行ういかなる機器であってもよい。
【００３０】
次に、図２を参照して、図１に示した学習成果利用システムの動作について詳細に説明する。
【００３１】
図２は、図１に示した学習成果利用システムの動作を示すフローチャートである。
【００３２】
機器群４のうちの一つである機器４１に日本語データを入力しようとする際、まず、操作者が操作する携帯端末装置１と、文字入力の対象の機器４１とを通信ケーブル５で接続する（Ｓ−１）。
【００３３】
次に、操作者は、携帯端末装置１の表示装置１２を参照しながら入力装置１１を操作して文字の入力を行う。このとき、携帯端末装置１の仮名漢字変換手段２を実行し、学習データ蓄積手段３に蓄積されている学習データすなわち学習成果を利用して、入力した文字の仮名漢字変換を行う（Ｓ−２）。この仮名入力から学習データを利用し、また新たな学習を行いながら漢字へと変換を行う手段については、既知のいかなる手段を用いてもよく、ここではその詳しい説明は省略する。
【００３４】
ステップ（Ｓ−２）の文字入力において、仮名漢字変換の学習がされた場合には、その学習成果を、学習データ蓄積手段３に蓄積する（Ｓ−３）。
【００３５】
続いて、仮名漢字変換が完了したならば、携帯端末装置１で送信操作を実施することで、仮名漢字変換された日本語データが、通信ケーブル５を通して機器４１に送信され入力される（Ｓ−４）。
【００３６】
次に、別の機器４２に日本語入力しようとする際には、携帯端末装置１と機器４２との通信ケーブル５による接続を解除し、新たに携帯端末装置１と機器４２とを通信ケーブル５で接続し直し、図２を参照して説明したのと同様の操作を行う。
【００３７】
この際、機器４１と４２とが全く異なる機器であっても、操作者が操作して入力および変換操作を行うのは共通の携帯端末装置１であるため操作方法に違いは無い。また、仮名漢字変換に利用する学習成果も学習データ蓄積手段３に蓄積されている同じものであるため過去の学習データを活用することができる。
【００３８】
また、この仮名漢字変換に際しては、携帯端末装置１および各種機器４間に閉じたローカルな環境で動作が完結するため、入力データが外部に漏れることはない。
（第２実施形態）
上述の第１実施形態では、携帯端末装置１と各種機器４との間を通信ケーブル５に接続したが、本発明はこれに限られるものではない。この第２実施形態では、通信ケーブル５の代わりに、携帯端末装置１と各種機器４との間をその他の通信手段で接続する構成を開示する。
【００３９】
通信ケーブル５の代わりのその他の通信手段としては、たとえば無線LAN通信、赤外線通信、Bluetooth通信等に置き換えた構成が考えられる。これらの無線通信によれば、携帯端末装置１と各種機器４との接続の切り替えを、物理的なケーブル接続変更によらずに済み、ソフトウェア制御で接続の切り替えが可能となるため、利便性が向上するという効果を奏する。
（第３実施形態）
また、携帯端末装置１としては、携帯電話機等を用いることができるが、汎用のキーボード等の入力装置を外部接続し、文字入力操作を、より簡単に行え、仮名漢字変換に適した構成とすることもできる。
（第４実施形態）
また、本発明による学習は、仮名漢字変換に限られるものではなく、たとえばよく利用する道や店舗を記憶させておくような、いかなる学習にも適用可能であることは言うまでもない。
【産業上の利用可能性】
【００４０】
本発明の学習成果利用システムに適用される機器は、ある機器で学習した成果を、他の機器で利用可能なすべての機器であり、学習機能の一例としての仮名漢字機能の学習機能についていえば、たとえば携帯端末装置で学習させた成果を、他の携帯端末装置やコンピュータシステムなどの文字入力を行うすべての機器で利用可能である。
【符号の説明】
【００４１】
１  携帯端末装置
１１  入力装置
１２  表示装置
２  仮名漢字変換手段
３  学習データ蓄積手段
４  機器群
４１、４２  機器
５  通信ケーブル
【図１】
2010181992.tif 000003
【図２】
2010181992.tif 000004